(57)【要約】      （修正有）【課題】エプロンシートの上部に頭部通し用の開口部を形成した使い捨てエプロンにおいて、この開口部の上下方向の幅を比較的狭く形成しても、着用者の頭部を容易に通過させて装着でき、着用した際は着用者の首の前部及び胸上部が露出しないようにする。【解決手段】頭部通し用の開口部２の下部周縁部に連設した下部突出シート片部５の屈曲可能範囲を上下方向に延長するための二本の延長切り込み６，６を被いシート部３の上部位置に入れ、下部突出シート片部５と延長切り込み６，６で区分けされた内側の延長シート部７から成るシート部を屈曲可能な被いシート片部８として形成し、この被いシート片部８を含め上下方向に拡大された開口範囲を通して着用者の頭部を容易に通過させることができ、着用した際は被いシート片部８で首の前部及び胸上部を被うことができるようにした。【選択図】図１
0003190684.tif 000002
【実用新案登録請求の範囲】
【請求項１】
エプロンシート（１）の上部に頭部通し用の開口部（２）を形成し、この開口部より下方のエプロンシート部を着用者の前側を被う被いシート部（３）として形成し、この開口部とエプロンシートの上部外周縁の間のシート部を首掛けシート部（４）として形成したエプロンであり、前記開口部（２）の下部周縁部に相等する前記被いシート部（３）の上縁部に該開口部の内側に向け上方向に突出した下部突出シート片部（５）を連設し、この下部突出シート片部の屈曲可能範囲を上下方向に延長するための二本の延長切り込み（６，６）を前記被いシート部（３）の上部位置に入れ、この二本の延長切り込み（６，６）が前記下部突出シート片部（５）の連設位置を間にした前記開口部の下部周縁部の両位置からそれぞれ下方に延ばした切り込みであり、前記下部突出シート片部（５）と前記延長切り込み（６，６）で区分けされた内側の延長シート部（７）から成るシート部を前記延長切り込みの切り込み下端を互いに結ぶ延長線を屈曲基線（９）として屈曲可能な被いシート片部（８）として形成したことを特徴とする使い捨てエプロン。
【請求項２】
エプロンシート（１）の上部に頭部通し用の開口部（２）を形成し、この開口部より下方のエプロンシート部を着用者の前側を被う被いシート部（３）として形成し、この開口部とエプロンシートの上部外周縁の間のシート部を首掛けシート部（４）として形成したエプロンであり、前記開口部（２）の下部周縁部に相等する前記被いシート部（３）の上縁部に該開口部の内側に向け上方向に突出した下部突出シート片部（５）を連設し、この下部突出シート片部の屈曲可能範囲を上下方向に延長するための二本の延長切り込み（６，６）を前記被いシート部（３）の上部位置に入れ、この二本の延長切り込み（６，６）が前記下部突出シート片部（５）の両側端の縁辺（５ａ，５ａ）からそれぞれ下方に連続して延ばした切り込みであり、前記下部突出シート片部（５）と前記延長切り込み（６，６）で区分けされた内側の延長シート部（７）から成るシート部を前記延長切り込みの切り込み下端を互いに結ぶ延長線を屈曲基線（９）として屈曲可能な被いシート片部（８）として形成したことを特徴とする使い捨てエプロン。
【請求項３】
下部を着用者の前側を被う被いシート部（３）としたエプロンシート（１）の上部に下部を開けた環状の第一切り込み（１０）を入れ、この第一切り込み（１０）とエプロンシート（１）の上部外周縁の間のシート部を首掛けシート部（４）として形成し、前記第一切り込み（１０）の離間した左右の切り込み端（１０ａ，１０ａ）に該切り込み端と略Ｔ字状に交わる第二切り込み（１１）をそれぞれ上下方向に延ばして入れ、この第二切り込み（１１）は、前記第一切り込みの内側に向けて上方向に延ばした切り込み部分（１１ａ）と前記第一切り込みの外側に向けて下方向に延ばした切り込み部分（１１ｂ）を上下方向に連続させた切り込みから成り、この両方の第二切り込み（１１，１１）の切り込み上端を互いに結ぶ第三切り込み（１２）を入れ、前記第一切り込み（１０）と前記第二切り込み（１１，１１）と前記第三切り込み（１２）とで囲まれたシート部を切り落として頭部通し用の開口部（２）を形成し、前記第二切り込み（１１，１１）と前記第三切り込み（１２）とで区画されたシート部を前記第二切り込み（１１，１１）の切り込み下端を互いに結ぶ延長線を屈曲基線（９）として屈曲可能な被いシート片部（８）として形成したことを特徴とする使い捨てエプロン。
【請求項４】
前記被いシート片部（８）の上部位置に該被いシート片部の上縁辺から下方に延びる一本又は複数の切り込み（１５）を入れ、この切り込み（１５）によって前記被いシート片部（８）の上部位置が複数の屈曲可能な首前部当接小片（１６）に形成されたことを特徴とする請求項１から３のいずれかに記載の使い捨てエプロン。
【請求項５】
前記開口部（２）の上部周縁部に相等する前記首掛けシート部（４）の内周縁部に該開口部の内側に向け下方向に突出した屈曲可能な上部突出シート片部（２０）を連設したことを特徴とする請求項１又は２に記載の使い捨てエプロン。
【請求項６】
前記開口部（２）の上部周縁部に相等する前記首掛けシート部（４）の内周縁部に該開口部の内側に向け下方向に突出した屈曲可能な上部突出シート片部（２０）を連設し、この上部突出シート片部（２０）に一本又は複数本の上下方向に延びる切り込み（２１）を入れ、この切り込み（２１）によって前記上部突出シート片部（２０）が複数の屈曲可能な首後部当接小片（２２）に形成されたことを特徴とする請求項１又は２に記載の使い捨てエプロン。
【請求項７】
前記第一切り込み（１０）をエプロンシート（１）の弧線状の上部外周縁に対して、中央部の前記首掛けシート部（４）の幅が広く形成され、この中央部から両側にかけて前記首掛けシート部（４）の幅が徐々に狭く形成されるように入れ、この首掛けシート部（４）の内側の拡幅部（２３）に複数の上下方向に延びる切り込み（２１）を入れ、この切り込み（２１）によって前記拡幅部（２３）が複数の屈曲可能な首後部当接小片（２２）に形成されたことを特徴とする請求項３に記載の使い捨てエプロン。
【考案の詳細な説明】
【技術分野】
【０００１】
本考案は使い捨てエプロンに係わり、特にエプロンシートの上部に着用者の頭部を通過させてエプロンを装着する頭部通し用の開口部を形成した使い捨てエプロンの改善に関する。
【背景技術】
【０００２】
使い捨てエプロンとして、紙や不織布などのエプロンシートの上部に着用者の頭部を通過させてエプロンを装着するための開口部を形成し、この開口部より下方のエプロンシート部を着用者の前側を被う被い部として形成し、この開口部とエプロンシートの上部外周縁の間のシート部を首掛け部として形成した安価なエプロン（以下、首穴タイプのエプロンと言うことがある。）が用いられている。
【０００３】
このタイプのエプロンは、装着に際して、着用者の頭部を容易に通過できるようにするため、これに合せて開口部を広めに形成してある。しかし、開口部を広く形成してあるため、エプロンを装着した際に、エプロンの開口部の前側の内周縁（襟ぐり部）が垂れ下がり、着用者の首の前部（襟元）及び胸上部が露出してしまい、露出した着用者の首の前部（襟元）及び胸上部を汚す弊害があった。
【０００４】
このような弊害を解消することを目的とした首穴タイプの使い捨てエプロンとしては、首穴の周りに放射状に延びる複数の切り込みを入れ、頭のサイズを問わず装着できる工夫を施したエプロンが公開されている（特許文献１）。しかし、特許文献１の首穴の周りに放射状に延びる複数の切り込みを入れたエプロンでは、エプロンを被って装着する際に、放射状の切り込みによって首穴の周りに形成された複数の片が着用者の首周りにまつわり付き過ぎて圧迫感があり鬱陶しいものであった。この圧迫感や鬱陶しさの弊害は、首穴を小さめに形成し、切り込みを深く（長く）入れた場合に特に大きいものであった。
【０００５】
また、首穴タイプに特定したものではないが、装着時に首の前部に対向する垂下部の端部に折曲自在な小片を連設したエプロンが公開されている（特許文献２の第１図）。しかし、垂下部の端部に小片を連設したにすぎないものを首穴タイプのエプロンに応用しても、この小片で着用者の首の前部（襟元）を効果的に被うことはできない。なぜなら、首穴タイプでは頭部を通すために首穴を広めに形成しなければならず、この広めの首穴の下端部に小片を連設しても、この小片で着用者の首の前部（襟元）を効果的に被うことはできないからである。文献２の小片は、この文献に図示されている環帯の切断部同志を接着する接着手段を設けたタイプのエプロンにおいては着用者の首の前部（襟元）を被うことが可能かもしれないが、前述したように首穴タイプのエプロンに応用しても着用者の首の前部（襟元）を効果的に被うことはできないものである。
【先行技術文献】
【特許文献】
【０００６】
【特許文献１】実開平７−１９３１６号公報
【特許文献２】実開昭６３−１４５８１４号公報
【考案の概要】
【考案が解決しようとする課題】
【０００７】
このような実情に鑑み、本考案は、エプロンシートの上部に着用者の頭部を通過させてエプロンを装着する頭部通し用の開口部を形成した使い捨てエプロンにおいて、この開口部の上下方向の幅を比較的狭く形成しても、装着に際して着用者の頭部を容易に通過させることができ、エプロンを着用した際は着用者の首の前部（襟元）及び胸上部が露出しないように着用者の首の前部（襟元）及び胸上部を効果的に被うことができる、首穴タイプの使い捨てエプロンを提供することを主な課題とする。
【課題を解決するための手段】
【０００８】
このような課題を解決するため、本考案（請求項１の考案）は、エプロンシート（１）の上部に頭部通し用の開口部（２）を形成し、この開口部より下方のエプロンシート部を着用者の前側を被う被いシート部（３）として形成し、この開口部とエプロンシートの上部外周縁の間のシート部を首掛けシート部（４）として形成したエプロンであり、前記開口部（２）の下部周縁部に相等する前記被いシート部（３）の上縁部に該開口部の内側に向け上方向に突出した下部突出シート片部（５）を連設し、この下部突出シート片部の屈曲可能範囲を上下方向に延長するための二本の延長切り込み（６，６）を前記被いシート部（３）の上部位置に入れ、この二本の延長切り込み（６，６）が前記下部突出シート片部（５）の連設位置を間にした前記開口部の下部周縁部の両位置からそれぞれ下方に延ばした切り込みであり、前記下部突出シート片部（５）と前記延長切り込み（６，６）で区分けされた内側の延長シート部（７）から成るシート部を前記延長切り込みの切り込み下端を互いに結ぶ延長線を屈曲基線（９）として屈曲可能な被いシート片部（８）として形成したことを特徴とする使い捨てエプロンを提供する。
【０００９】
また、本考案（請求項２の考案）は、エプロンシート（１）の上部に頭部通し用の開口部（２）を形成し、この開口部より下方のエプロンシート部を着用者の前側を被う被いシート部（３）として形成し、この開口部とエプロンシートの上部外周縁の間のシート部を首掛けシート部（４）として形成したエプロンであり、前記開口部（２）の下部周縁部に相等する前記被いシート部（３）の上縁部に該開口部の内側に向け上方向に突出した下部突出シート片部（５）を連設し、この下部突出シート片部の屈曲可能範囲を上下方向に延長するための二本の延長切り込み（６，６）を前記被いシート部（３）の上部位置に入れ、この二本の延長切り込み（６，６）が前記下部突出シート片部（５）の両側端の縁辺（５ａ，５ａ）からそれぞれ下方に連続して延ばした切り込みであり、前記下部突出シート片部（５）と前記延長切り込み（６，６）で区分けされた内側の延長シート部（７）から成るシート部を前記延長切り込みの切り込み下端を互いに結ぶ延長線を屈曲基線（９）として屈曲可能な被いシート片部（８）として形成したことを特徴とする使い捨てエプロンを提供する。
【００１０】
また、本考案（請求項３の考案）は、下部を着用者の前側を被う被いシート部（３）としたエプロンシート（１）の上部に下部を開けた環状の第一切り込み（１０）を入れ、この第一切り込み（１０）とエプロンシート（１）の上部外周縁の間のシート部を首掛けシート部（４）として形成し、前記第一切り込み（１０）の離間した左右の切り込み端（１０ａ，１０ａ）に該切り込み端と略Ｔ字状に交わる第二切り込み（１１）をそれぞれ上下方向に延ばして入れ、この第二切り込み（１１）は、前記第一切り込みの内側に向けて上方向に延ばした切り込み部分（１１ａ）と前記第一切り込みの外側に向けて下方向に延ばした切り込み部分（１１ｂ）を上下方向に連続させた切り込みから成り、この両方の第二切り込み（１１，１１）の切り込み上端を互いに結ぶ第三切り込み（１２）を入れ、前記第一切り込み（１０）と前記第二切り込み（１１，１１）と前記第三切り込み（１２）とで囲まれたシート部を切り落として頭部通し用の開口部（２）を形成し、前記第二切り込み（１１，１１）と前記第三切り込み（１２）とで区画されたシート部を前記第二切り込み（１１，１１）の切り込み下端を互いに結ぶ延長線を屈曲基線（９）として屈曲可能な被いシート片部（８）として形成したことを特徴とする使い捨てエプロンを提供する。
【００１１】
また、本考案（請求項４の考案）は、前記被いシート片部（８）の上部位置に該被いシート片部の上縁辺から下方に延びる一本又は複数の切り込み（１５）を入れ、この切り込み（１５）によって前記被いシート片部（８）の上部位置を複数の屈曲可能な首前部当接小片（１６）に形成した使い捨てエプロンを提供する。
【００１２】
また、本考案（請求項５の考案）は、前記開口部（２）の上部周縁部に相等する前記首掛けシート部（４）の内周縁部に該開口部の内側に向け下方向に突出した屈曲可能な上部突出シート片部（２０）を連設した使い捨てエプロンを提供する。そして、本発明（請求項６の考案）は、この上部突出シート片部（２０）に一本又は複数本の上下方向に延びる切り込み（２１）を入れ、この切り込み（２１）によって前記上部突出シート片部（２０）を複数の屈曲可能な首後部当接小片（２２）に形成した使い捨てエプロンを提供する。
【００１３】
また、本考案（請求項７の考案）は、前記第一切り込み（１０）をエプロンシート（１）の弧線状の上部外周縁に対して、中央部の前記首掛けシート部（４）の幅が広く形成され、この中央部から両側にかけて前記首掛けシート部（４）の幅が徐々に狭く形成されるように入れ、この首掛けシート部（４）の内側の拡幅部（２３）に複数の上下方向に延びる切り込み（２１）を入れ、この切り込み（２１）によって前記拡幅部（２３）を複数の屈曲可能な首後部当接小片（２２）に形成した使い捨てエプロンを提供する。
【考案の効果】
【００１４】
本考案のエプロンによれば、頭部通し用の開口部（２）の下部位置に設けた被いシート片部（８）の屈曲可能範囲を上下方向に長く延長してあるため、この開口部（２）の上下方向の幅を比較的狭く形成しても、着用者の頭部を通してエプロンを装着する際、屈曲可能な被いシート片部（８）の上下長さ範囲を含めて上下方向に拡大された開口範囲を通して着用者の頭部を容易に通過させることができ、エプロンを容易に装着できる。しかも、前述したように頭部通し用の開口部（２）の上下方向の幅を比較的狭く形成することが可能であるため、エプロンを着用した際は、上下方向の幅を比較的狭く形成した開口部（２）の下部位置に設けた被いシート片部（８）によって着用者の首の前部（襟元）及び胸上部が露出しないように着用者の首の前部（襟元）及び胸上部を効果的に被うことができる。
【００１５】
さらに、本考案によれば、頭部通し用の開口部（２）の上下方向の幅を比較的狭く形成できるため、エプロンシート（１）の上下方向の全体長さにおける被いシート部（３）（被いシート片部（８）を含む。）の上下方向の長さを相対的に長くできる。換言すれば、エプロンの被いシート部（３）（被いシート片部（８）を含む。）の上下方向の長さを一定の長さに設定した場合は、エプロンシート（１）の上下方向の全体長さを短くでき、エプロンシートを節約できる利点がある。
【図面の簡単な説明】
【００１６】
【図１】本考案の使い捨てエプロンを示す正面図である。
【図２】本考案の使い捨てエプロンを示す正面図である。
【図３】本考案の使い捨てエプロンの他の実施形態を示す正面図である。
【図４】本考案の使い捨てエプロンの他の実施形態を示す正面図である。
【考案を実施するための形態】
【００１７】
本考案の使い捨てエプロンの実施形態を示した図面に基づき説明する。図１の使い捨てエプロンは、エプロンシート１の上部に左右方向の横幅に比較して上下方向の縦幅を狭くした楕円形の頭部通し用の開口部２を形成し、この開口部２より下方のエプロンシート部を着用者の前側を被う被いシート部３として形成し、この開口部２とエプロンシートの弧線状の上部外周縁の間のシート部を首掛けシート部４として形成したエプロンであり、前記開口部２の下部周縁部に相等する前記被いシート部３の上縁部に該開口部２の内側に向け上方向に突出した略台形の下部突出シート片部５を連設し、この下部突出シート片部５の屈曲可能範囲を上下方向に延長するための二本の延長切り込み６を前記被いシート部３の上部位置に入れ、この二本の延長切り込み６，６が略台形の前記下部突出シート片部５の両側端の縁辺５ａ，５ａからそれぞれ下方に連続して延ばした直線状の切り込みであり、前記下部突出シート片部５と前記延長切り込み６，６で区分けされた内側の延長シート部７から成るシート部を前記延長切り込み６，６の切り込み下端を互いに結ぶ延長線を屈曲基線９として屈曲可能な被いシート片部８として形成してある。
【００１８】
図示した実施形態では被いシート片部８を略台形に形成してある。しかし、図示した被いシート片部８の両角部（下部突出シート片部５の両角部）を丸く形成しても良く、また、例えば被いシート片部８の上縁辺（下部突出シート片部５の上縁辺）を凹ませた弧状辺としても良い。
【００１９】
前記被いシート片部８は着用者の首の前部（襟元）を被うことができる横幅に形成することが好ましい。この被いシート片部８の屈曲可能範囲は、下部突出シート片部５の突出長さと二本の延長切り込み６の切り込み深さ（長さ）によって決まるが、図示したように下部突出シート片部５の突出長さに対して延長切り込み６の切り込み深さ（長さ）を深く（長く）すれば、下部突出シート片部５の突出長さを相対的に短くでき、下部突出シート片部５が着用者の首に必要以上にまつわり付き過ぎる欠点を解消できる。
【００２０】
また、図示したように、前記被いシート片部８の上部位置（下部突出シート片部５に相当する位置）に該被いシート片部８の上縁辺から下方に延びる複数の切り込み１５を入れ、この切り込み１５によって前記被いシート片部８の上部位置を複数の首前部当接小片１６に形成してある。この切り込み１５は、被いシート片部８の横幅が広めに形成されている場合に特に有効である。この首前部当接小片１６は、ネクタイの結び部など首の前部の凹凸部にならって当接でき、効果的に被うことができる。
【００２１】
なお、図示してないが、前記下部突出シート片部５の屈曲可能範囲を上下方向に延長するための二本の延長切り込み６が前記下部突出シート片部５の連設位置を間にした前記開口部２の下部周縁部の両位置からそれぞれ下方に延ばした切り込みとしても良い。これは、二本の延長切り込み６，６の切り込み位置が、前記下部突出シート片部５の両側端の縁辺５ａ，５ａの外側近くの両位置からそれぞれ下方に延ばした切り込みも含むことを意味している。
【００２２】
前記頭部通し用の開口部２は、左右方向の横幅に比較して上下方向の縦幅を狭くした楕円形に形成してある。この頭部通し用の開口部２と屈曲可能な被いシート片部８の上下長さ範囲を含めて上下方向に拡大された開口範囲を通して着用者の頭部を容易に通過させることができ、エプロンを容易に装着できるように成っている。そして、エプロンを着用した際は、上下方向の幅を比較的狭く形成した頭部通し用の開口部２の下部位置に設けた被いシート片部８によって着用者の首の前部（首の前部に位置する襟元）及び胸の上部が露出しないように着用者の首の前部（首の前部に位置する襟元）及び胸の上部を被うことができるように成っている。
【００２３】
このエプロンシートの素材は不織布シートを用い、特にスパンボンド不織布シートを用いるのが好ましい。しかし、本考案におけるエプロンシートの素材はこれに限定するものではなく、紙製シート、紙や不織布などのシート材に樹脂を積層させた複合シート材など使い捨てエプロンに適した適宜のシート材を採用でき、本発明では特に限定しない。
【００２４】
図１の使い捨てエプロンについて、図１と同形の使い捨てエプロンを示した図２の符号を参照しながら説明すれば、エプロンシート１の上部に下部を開けた環状の第一切り込み１０を入れ、この第一切り込み１０とエプロンシート１の弧線状の上部外周縁の間のシート部を首掛けシート部４として形成し、前記第一切り込み１０の離間した左右の切り込み端１０ａ，１０ａに該切り込み端と略Ｔ字状に交わる第二切り込み１１をそれぞれ上下方向に延ばして入れ、この第二切り込み１１は、前記第一切り込み１０の内側に向けて上方向に延ばした切り込み部分１１ａと前記第一切り込み１０の外側に向けて下方向に延ばした切り込み部分１１ｂを上下方向に連続させた切り込みから成り、この両方の第二切り込み１１，１１の切り込み上端（前記第二切り込みにおける前記第一切り込みの内側に向けて上方向に延ばした切り込み部分１１ａの切り込み端）を互いに結ぶ第三切り込み１２を入れ、前記第一切り込み１０と前記第二切り込み１１，１１（１１ａ，１１ａ）と前記第三切り込み１２とで囲まれたシート部を切り落として前記頭部通し用の開口部２を形成し、前記第二切り込み１１，１１と前記第三切り込み１２とで区画されたシート部（図示した実施形態では略台形に区画されたシート部）を前記第二切り込み１１，１１の切り込み下端（前記第二切り込みにおける前記第一切り込みの外側に向けて下方向に延ばした切り込み部分１１ｂの切り込み端）を互いに結ぶ延長線を屈曲基線９として屈曲可能な前記被いシート片部８として形成してある。
【００２５】
図示した使い捨てエプロンには、被いシート部３の両側縁から内側方向に延びる切り込み（上腕部まつわり防止切り込み３０）を入れてある。この上腕部まつわり防止切り込み３０はエプロンを着用した際に、着用者の両脇部に対応する高さ位置に形成してある。この上腕部まつわり防止切り込み３０によって、この切り込み３０の形成位置より上の上腕部当接範囲（着用者の腕のつけ根や上腕部を被うシート範囲）３１が折り曲げられるようにしてある。これによって、上腕部当接範囲３１を切除せずに残存させたエプロンであっても、この上腕部当接範囲３１が着用者の腕のつけ根や上腕部にまつわりつくのを防止できるようにしてある。
【００２６】
図３の使い捨てエプロンは、図１の使い捨てエプロンに上部突出シート片部２０を追加したものである。この上部突出シート片部２０は、前記開口部２の上部周縁部に相等する前記首掛けシート部４の内周縁部に該開口部の内側に向け下方向に突出して連設され、この上部突出シート片部２０に複数本の上下方向に延びる切り込み２１を入れ、この切り込み２１によって上部突出シート片部２０を複数の屈曲可能な首後部当接小片２２に形成してある。この切り込み２１は、上部突出シート片部２０の横幅が広めに形成されている場合に特に有効である。この首後部当接小片２２は、エプロンを装着した際、後部の首周り（後部の襟周り）にならって密接し、装着したエプロンのズレ移動を防げる効果がある。
【００２７】
図４の使い捨てエプロンは、図２の使い捨てエプロンに複数の首後部当接小片２２を追加形成したものである。前記したように、エプロンシート１の上部に下部を開けた環状の第一切り込み１０を入れ、この第一切り込み１０とエプロンシート１の弧線状の上部外周縁の間のシート部を首掛けシート部４として形成してある。図４の使い捨てエプロンでは、この第一切り込み１０をエプロンシート１の弧線状の上部外周縁に対して、中央部の首掛けシート部４の幅が広く形成され、この中央部から両側にかけて首掛けシート部４の幅が徐々に狭く形成されるように入れ、この首掛けシート部４の内側の略三日月状の拡幅部２３（一点鎖線で区分けした部分）に複数の上下方向に延びる切り込み２１を入れ、この切り込み２１によって前記拡幅部２３を複数の屈曲可能な首後部当接小片２２に形成してある。図３の首後部当接小片２２と同様に図４の首後部当接小片２２もエプロンを装着した際、後部の首周り（後部の襟周り）にならって密接し、装着したエプロンのズレ移動を防げる効果がある。
【符号の説明】
【００２８】
１  エプロンシート
２  頭部通し用の開口部
３  被いシート部
４  首掛けシート部
５  下部突出シート片部
６，６  延長切り込み
７  延長シート部
８  被いシート片部
９  屈曲基線
１０  第一切り込み
１０ａ，１０ａ  第一切り込みの切り込み端
１１，１１  第二切り込み
１２  第三切り込み
１５  切り込み
１６  首前部当接小片
２０  上部突出シート片部
２１  切り込み
２２  首後部当接小片
２３  首掛けシート部の拡幅部
３０  上腕部まつわり防止切り込み
３１  上腕部当接範囲
【図１】
0003190684.tif 000003
【図２】
0003190684.tif 000004
【図３】
0003190684.tif 000005
【図４】
0003190684.tif 000006